(57)【要約】【課題】デコレーションケーキなどの輸送に注意を要する、大型の冷凍ケーキであっても、外部からの振動や衝撃を極力緩和出来るように工夫した冷凍ケーキ輸送用折り畳み紙箱を提供する。【解決手段】折り畳み紙箱Ａは、直方体形状の外箱１と、扁平で底板の無い直方体形状の平箱から成る支持枠体８と、冷凍ケーキＢを載置するトレイ３０と、冷凍ケーキＢの外側に筒状に巻き付ける帯状保護板３１とから成り、支持枠体８は、平箱の上板の略中央に開口１１を設け、開口１１の縁から上板９の端縁に向けて切り込みを複数入れて分割し、分割された上板９を平箱に接続している各端縁を介して傾斜自在な緩衝板１２とし、冷凍ケーキＢの周りに帯状保護板３１を筒状に巻き付け、その上から支持枠体８を被せて傾斜した状態の複数の緩衝板１２で帯状保護板３１を巻き付けた冷凍ケーキＢを支持し、この状態で上記外箱１に挿入する。【選択図】図１
2018150057.tif 000002
【特許請求の範囲】
【請求項１】
冷凍ケーキを輸送する際に使用する折り畳み紙箱であって、
当該折り畳み紙箱は、直方体形状の外箱と、扁平で底板の無い直方体形状の平箱から成る支持枠体と、冷凍ケーキを載置するトレイと、冷凍ケーキの外側に筒状に巻き付ける帯状保護板とから成り、
上記支持枠体は、平箱の上板の略中央に開口を設け、当該開口の縁から当該上板の端縁に向けて切り込みを複数入れて分割し、
当該分割された上板を当該平箱に接続している各端縁を介して傾斜自在な緩衝板とし、
上記冷凍ケーキの周りに上記帯状保護板を筒状に巻き付け、その上から上記支持枠体を被せて傾斜した状態の上記複数の緩衝板で上記帯状保護板を巻き付けた上記冷凍ケーキを支持し、この状態で上記外箱に挿入することを特徴とした、冷凍ケーキ輸送用折り畳み紙箱。
【請求項２】
上記外箱は、前側板又は後側板を開閉自在とし、これらの前側板又は後側板を開けた開口の左右側縁には、折り目を介して左右折り込み板を夫々設け、これらの左右折り込み板の先端の一部を夫々内側に折り曲げた折曲片とし、
上記支持枠体の前側板又は後側板の中央部に上下方向にスリットを設け、
上記支持枠体を上記外箱の中に入れ、上記前側板又は後側板を閉じた際、上記左右折り込み板の各折曲片が上記支持枠体の上記スリットに入り込むことを特徴とする、上記請求項１に記載の冷凍ケーキ輸送用折り畳み紙箱。
【請求項３】
上記支持枠体を成す平箱の上板の上面に設ける開口の内径は、輸送する冷凍ケーキの外径より小さくしたことを特徴とする、上記請求項１又は２の何れかに記載の冷凍ケーキ輸送用折り畳み紙箱。
【請求項４】
上記帯状保護板の幅は、上記外箱の内側の高さと略同じにしたことを特徴とする、上記請求項１、２又は３の何れかに記載の冷凍ケーキ輸送用折り畳み紙箱。
【請求項５】
上記各緩衝板の上辺から上記上板の端縁に向けて一又は複数の切り込みを設けたことを特徴とする、上記請求項１、２、３又は４の何れかに記載の冷凍ケーキ輸送用折り畳み紙箱。
【発明の詳細な説明】
【技術分野】
【０００１】
この発明は、製造されたケーキを冷凍輸送するための折り畳み紙箱に関するものである。
【背景技術】
【０００２】
従来、洋菓子店において、ケーキを持ち運ぶ際、一般的に折り畳み紙箱が使用されている。この様な紙箱は、一定の強度を有しながらも、軽量で、使用した後の処分も容易であり、使い勝手が良いものとなっている。
【０００３】
一方、昨今では、インターネットによる通信販売も普及し、遠方にある有名な菓子店のケーキをインターネットで注文し、宅配便などで冷凍輸送し、自宅で受け取り、解凍して食べると言うことも日常茶飯事となっている。
【０００４】
そんな中、スポンジ生地を土台にしたデコレーションケーキは、ケーキの上面に果実、生クリームやチョコレートなどの飾り付けが行われ、見た目にも豪華で食欲をそそるものとなっているが、冷凍ケーキの輸送において、飾り付けの果実等が崩れるおそれがあり、注意が必要である。
【０００５】
この様なデコレーションケーキの冷凍輸送について、一例として、通常のキャリータイプの紙箱に入れられたデコレーションケーキをより大きな発泡スチロールの箱の中に入れ、当該箱と上記紙箱の外面との隙間には、緩衝材を詰めて当該紙箱に出来るだけ衝撃を与えない様にして輸送している。
【０００６】
また、冷凍ケーキでも小型のものを輸送するものとして特許文献１に記載のものがある。これは、低温耐性を有する半硬質プラスチツク材料で、フランジ部と若干のテ−パを付した収容凹部とを構成した包装体本体と、前記収容凹部に収容される冷凍食品を囲繞すべく低温耐性を有するプラスチツクフイルムからなり、前記冷凍食品から滲出する極少量の水分もしくは内容物を透過させて合わせ目の密着性を高めるための細孔を端縁部に設けた帯状片と、前記収容凹部に装入されるこの帯状片の定形性を保持すべくこの帯状片によって形成される空間の底部に装入されるビスケツトなどの台片との組み合わせからなる冷凍食品用包装体である。
【先行技術文献】
【特許文献】
【０００７】
【特許文献１】実開平６−５７８９４号公報
【発明の開示】
【発明が解決しようとする課題】
【０００８】
しかしながら、上記前者の輸送方法で使用しているキャリータイプの紙箱には、発泡スチロールの箱の中に入れられているものの、外からの振動や衝撃をやわらげる工夫が何ら為されていない。デコレーションケーキなどのように外部から衝撃を受けると壊れ易く、外見の損傷が商品価値を著しく損なうものは、極力、損傷しないよう、輸送に使用される紙箱にも工夫することが求められる。
【０００９】
また、上記後者の特許文献１のものでは、小型のアイスクリームや冷凍ケーキなどを輸送することはできるかもしれないが、デコレーションケーキなどの大型の冷凍ケーキの様なものは安全に輸送することは出来ない。
【００１０】
この発明は、この様な状況に鑑みて行われたもので、デコレーションケーキなどの輸送に注意を要する、大型の冷凍ケーキであっても、外部からの振動や衝撃を極力緩和出来るように工夫した冷凍ケーキ輸送用折り畳み紙箱を提供して上記課題を解決するものである。
【課題を解決するための手段】
【００１１】
請求項１の発明は、冷凍ケーキを輸送する際に使用する折り畳み紙箱であって、  当該折り畳み紙箱は、直方体形状の外箱と、扁平で底板の無い直方体形状の平箱から成る支持枠体と、冷凍ケーキを載置するトレイと、冷凍ケーキの外側に筒状に巻き付ける帯状保護板とから成り、上記支持枠体は、平箱の上板の略中央に開口を設け、当該開口の縁から当該上板の端縁に向けて切り込みを複数入れて分割し、当該分割された上板を当該平箱に接続している各端縁を介して傾斜自在な緩衝板とし、上記冷凍ケーキの周りに上記帯状保護板を筒状に巻き付け、その上から上記支持枠体を被せて傾斜した状態の上記複数の緩衝板で上記帯状保護板を巻き付けた上記冷凍ケーキを支持し、この状態で上記外箱に挿入する、冷凍ケーキ輸送用折り畳み紙箱とした。
【００１２】
請求項２の発明は、上記外箱は、前側板又は後側板を開閉自在とし、これらの前側板又は後側板を開けた開口の左右側縁には、折り目を介して左右折り込み板を夫々設け、これらの左右折り込み板の先端の一部を夫々内側に折り曲げた折曲片とし、上記支持枠体の前側板又は後側板の中央部に上下方向にスリットを設け、  上記支持枠体を上記外箱の中に入れ、上記前側板又は後側板を閉じた際、上記左右折り込み板の各折曲片が上記支持枠体の上記スリットに入り込む、上記請求項１に記載の冷凍ケーキ輸送用折り畳み紙箱とした。
【００１３】
請求項３の発明は、上記支持枠体を成す平箱の上板の上面に設ける開口の内径は、輸送する冷凍ケーキの外径より小さくした、上記請求項１又は２の何れかに記載の冷凍ケーキ輸送用折り畳み紙箱とした。
【００１４】
請求項４の発明は、上記帯状保護板の幅は、上記外箱の内側の高さと略同じにした、上記請求項１、２又は３の何れかに記載の冷凍ケーキ輸送用折り畳み紙箱とした。
【００１５】
請求項５の発明は、上記各緩衝板の上辺から上記上板の端縁に向けて一又は複数の切り込みを設けた、上記請求項１、２、３又は４の何れかに記載の冷凍ケーキ輸送用折り畳み紙箱とした。
【発明の効果】
【００１６】
請求項１の発明によれば、輸送の際、この折り畳み紙箱に収められた冷凍ケーキに、外部から振動や衝撃が与えられても、支持枠体の各緩衝板は上記帯状保護板の略全周を傾斜した状態で支持し、柔軟に動いて、振動や衝撃を吸収し、冷凍ケーキまでは伝わり難いようになっている。それ故、デコレーションケーキなどの輸送に注意を要する冷凍ケーキであっても、安心して輸送することが出来る。
【００１７】
請求項２の発明によれば、支持枠体の前側板又は後側板の中央部に上下方向にスリットを設け、支持枠体を上記外箱の中に入れ、前側板又は後側板を閉じた際、左右折り込み板の各折曲片が支持枠体の上記スリットに入り込むようにしたので、外部から振動や衝撃を与えられても、外箱の中で支持枠体が無闇に動くことが無く、また、振動等はこの外箱と支持枠体で吸収され、冷凍ケーキまでは伝わり難いものとなっている。
【００１８】
また、請求項３の発明によれば、支持枠体を成す平箱の上板の上面に設ける開口の内径は、輸送する冷凍ケーキの外径より小さくし、帯状保護板に巻き付けられた冷凍ケーキに対して各緩衝板が傾斜した状態で支持するので、振動や衝撃が与えられても、冷凍ケーキが無闇に動くことが無く、安心である。
【００１９】
また、請求項４の発明によれば、上記帯状保護板の幅は、上記外箱の内側の高さと略同じにしたので、冷凍ケーキに巻き付け、支持枠体を被せ、上記外箱内に入れた際、当該外箱の上下方向から振動等を受けても当該帯状保護板が支柱となり、外箱が壊れ難い。
【００２０】
請求項５の発明によれば、各緩衝板の上辺の略中央と下辺の略中央を結ぶ箇所に切り込みを設けたので、緩衝板がより自由に動き、振動や衝撃を吸収し、冷凍ケーキまでは伝わり難いようになっている。
【図面の簡単な説明】
【００２１】
【図１】この発明の実施の形態例の冷凍ケーキ輸送用折り畳み紙箱内に冷凍ケーキを入れている状態の斜視図である。
【図２】この発明の実施の形態例の冷凍ケーキ輸送用折り畳み紙箱の外箱の斜視図である。
【図３】この発明の実施の形態例の冷凍ケーキ輸送用折り畳み紙箱の支持枠体の展開図である。
【図４】この発明の実施の形態例の冷凍ケーキ輸送用折り畳み紙箱のトレイの斜視図である。
【図５】この発明の実施の形態例の冷凍ケーキ輸送用折り畳み紙箱の支持枠体を裏返して組み立てている状態の斜視図である。
【図６】この発明の実施の形態例の冷凍ケーキ輸送用折り畳み紙箱の支持枠体を裏返して組み立てている状態であって、左右内側板の各係止片を係止させている状態の一部斜視図である。
【図７】この発明の実施の形態例の冷凍ケーキ輸送用折り畳み紙箱の組み立てた支持枠体の斜視図である。
【図８】この発明の実施の形態例において、トレイに載せた冷凍ケーキの周囲に、帯状保護板を筒状に巻き付け、その後支持枠体を被せた状態の斜視図である。
【発明を実施するための形態】
【００２２】
（実施の形態例）
以下、この発明の実施の形態例の冷凍ケーキ輸送用折り畳み紙箱を図に基づいて説明する。この実施の形態例の冷凍ケーキ輸送用折り畳み紙箱Ａ（以下、単に「折り畳み紙箱Ａ」と言う。）は、平面円盤状のスポンジから成る冷凍ケーキを輸送する際に使用する折り畳み紙箱であって、扁平な平箱から成る外箱１と、扁平で底板の無い平箱から成る支持枠体８と、冷凍ケーキを載置するトレイ３０と、冷凍ケーキの外側に円筒状に巻き付ける帯状保護板３１から成る。
【００２３】
上記外箱１は、図２に示す様に、直方体形状の平箱から成るが前側の側板を開閉自在とし、これらの前側の側板を開けた開口の左右側縁には、折り目を介して上記開口の半分の大きさの左折り込み板３と右折り込み板４を夫々設けている。また、上記前側の側板を開けた開口の上縁には、折り目を介して上記開口と略同形同大の大きさの上折り込み板２を設けており、上記折り目の中央には一定長の切り込み２ａを設けている。また、同様に上記開口の下縁には、折り目を介して上記開口と略同形同大の大きさの下折り込み板５を設けており、この下折り込み板５の外縁の中央には折り目を介して折り込み舌片５ａを設けている。この平箱の後側の側板も同様に設けている。
【００２４】
さらに、上記左折り込み板３と右折り込み板４の先端の一部を夫々内側に折り曲げて折曲片６、７とし、これらの左折り込み片３と右折り込み片４を閉じた際、これらの左折り込み片３と右折り込み片４の各折曲片６、７は当接するようになっている。また、当該外箱１は、図２では前側の側板について説明したが、後側についても前側と同様の構造となっている。
【００２５】
上記支持枠体８を成す平箱は、底板が無い扁平な略直方体形状である。図３示す様に、上板９を中心に各側板等が折り目を介して設けられている。この上板９の外縁に沿って内側に四角形状の縁取り１０を行い、この縁取り１０の２本の対角線に切り込みを夫々入れて上板９を四分割している。これらの四分割された上板９の中央部に円形状の開口１１を設けている。また、これらの四分割された上板９を上記縁取り１０を介して夫々折り上げ又は折り下げ自在な緩衝板１２としている。さらに、上記上板９の上面に設ける開口１１の内径を輸送する冷凍ケーキＢの外径より小さくしている。また、上記各緩衝板１２の上辺の略中央と下辺の略中央を結ぶ箇所に切り込み１３を設けている。
【００２６】
上記上板９の下縁には折り目アを介して長方形状の前側板１４を設け、この前側板１４の下縁には折り目イを介して細幅の小側板１５を設け、この小側板１５の下縁には折り目ウを介して長方形状の前内側板１６を設けている。この前内側板１６の左右縁の下部を突出させて突部１６ａを夫々設けている。また、上記折り目アの中央であって上記上板９から前側板１４にかけて縦長のスリット１７を設けている。また、上記前側板１４上の下部近くの中央には弧状の切り込み１８を設けている。
【００２７】
略正方形状の上板９の上縁には折り目エを介して長方形状の後側板１９を設け、この後側板１９の上縁には折り目オを介して細幅の小側板２０を設け、この小側板２０の上縁には折り目カを介して長方形状の後内側板２１を設けている。この後内側板２１の左右縁の上部を突出させて突部２１ａを夫々設けている。また、上記折り目エの中央であって上記上板９から後側板１９にかけて縦長のスリット２２を設けている。また、上記後側板１９上の上部近くの中央には弧状の切り込み２３を設けている。
【００２８】
また、上記上板９の左縁には折り目キを介して長方形状の左側板２４を設け、この左側板２４の上下縁には折り目クを介して長方形状の折り込み板２４ａ、２４ａを設けている。上記左側板２４の左縁には折り目ケを介して細幅の小側板２５を設け、この小側板２５の左縁には折り目コを介して長方形状の左内側板２６を設けている。この左内側板２６の上下縁には折り目サを介して折り込み片２６ａ、２６ａを夫々設けている。これらの折り込み片２６ａ、２６ａの先端左側の角部は切り取られており、先端右側の角部は夫々一部に切り込みを入れて係止片２６ｂ、２６ｂとなっており、また、各折り込み片２６ａ、２６ａの折り目サは夫々外側が一定長切り込み２６ｃ、２６ｃとなっている。
【００２９】
さらに、上記上板９の右縁には折り目シを介して長方形状の右側板２７を設け、この右側板２７の上下縁には折り目スを介して長方形状の折り込み板２７ａ、２７ａを設けている。上記右側板２７の右縁には折り目セを介して細幅の小側板２８を設け、この小側板２８の右縁には折り目ソを介して長方形状の右内側板２９を設けている。この右内側板２９の上下縁には折り目タを介して折り込み片２９ａ、２９ａを夫々設けている。これらの折り込み片２９ａ、２９ａの先端右側の角部は切り取られており、先端左側の角部は夫々一部に切り込みを入れて係止片２９ｂ、２９ｂとなっており、また、各折り込み片２９ａ、２９ａの折り目タは夫々外側が一定長切り込み２９ｃ、２９ｃとなっている。
【００３０】
上記冷凍ケーキＢを載置するトレイ３０は、例えば、図４に示す様なものが使える。このトレイ３０の上面中央には冷凍ケーキＢを載置した際、当該冷凍ケーキＢの底面に食い込んで固定する係止爪３０ａが設けられており、また、このトレイ３０の一方の相対向する端縁の中央には折り目チを介して折り込み舌片３０ｂ、３０ｂを夫々設けている。また、冷凍ケーキＢの外側に円筒状に巻き付ける帯状保護板３１の幅を上記外箱１の内側の高さと略同じにしている（図１参照）。
【００３１】
次に、上記支持枠体８を組み立てる。図３の支持枠体８を裏返した状態で、図５に示す様に、上記支持枠体８は、上記折り目ア、イ、ウ、エ、オ、カ、キ、ケ、コ、シ、セ、ソを介して前側板１４、小側板１５、前内側板１６、後側板１９、小側板２０、後内側板２１、左側板２４、小側板２５、左内側板２６、右側板２７、小側板２８、右内側板２９を夫々谷折りする。また、折り目ク、ス、サ、タを谷折りして各折り込み板２４ａ、２７ａ及び折り込み片２６ａ、２９ａを夫々立設する。
【００３２】
そして、図６に示す様に、上記左内側板２６の各折り込み片２６ｂの係止片２６ｂと右内側板２９の各折り込み片２９ｂの係止片２９ｂとを相対向させて係止し、それらの上から上記後内側板１９を折り目オ、カを谷折りして夫々被せて、後内側板２１の突部２１ａを上記左内側板２６の切り込み２６ｃと右内側板２９の切り込み２９ｃへ入れ係止する。図示は省略したが、前側板１４側も同様にして組み立てる。この様にして、図７に示す様に、支持枠体８が組立てられる。
【００３３】
続いて、この実施の形態例の折り畳み紙箱Ａを使用する手順を説明する。
平面円盤状の冷凍ケーキＢを上記トレイ３０に載置し、この冷凍ケーキＢをトレイ３０に固定する。この時、上記トレイ３０の各折り込み舌片３０ｂ、３０ｂを折り目チを介して折り上げおく。そして、冷凍ケーキＢの側面に、上記帯状保護板３１を筒状に巻き付ける。その上から、図８に示す様に、上記組み立てた支持枠体８をその底面の開口から被せ、上記トレイ３０の各折り込み舌片３０ｂ、３０ｂを上記支持枠体８の前側板１４と後側板１９の各弧状の切り込み１８、２３に差し入れる。その際、支持枠体８の上板９の多数の緩衝板１２は帯状保護板３１外周に対してやや上方に傾斜して支持し、緩衝作用を為すようになっている。
【００３４】
その後、図１に示す様に、この冷凍ケーキＢを上記外箱１の前側の側板を開けて、当該外箱１の中の奥まで入れる。この時、上記支持枠体８のスリット２２の中にこの外箱１の後側の側板の開口に設けられた左折り込み板と右折り込み板の各折曲片が入り込み、当該スリット２２に係止される。また、この後、外箱１の上記左折り込み板３と右折り込み板４を閉じると、これらの左折り込み板３と右折り込み板４の各折曲片６、７が、上記支持枠体８のスリット１７の中に入り係止される。その後、上折り込み板２を折り目を介して折り込み、さらに、下折り込み板５を折り目を介して折り込んで折り込み舌片５ａを切り込み２ａへ挿入して閉じる（図示省略）。
【００３５】
これらにより、輸送の際、この折り畳み紙箱Ａに収められた冷凍ケーキＢに、外部から振動や衝撃が与えられても、スリット１７、２２に外箱１の折曲片６、７等が係止されているので、外箱１の中でこの支持枠体８が無闇に動くことはなく、これらの折曲片６、７等の係止により振動等は和らげられる。次に、支持枠体８において、当該支持枠体８の一定の厚さから成る各側板の前側板１４、小側板１５、前内側板１６、後側板１９、小側板２０、後内側板２１、左側板２４、小側板２５、左内側板２６、右側板２７、小側板２８、右内側板２９により上記振動等は吸収される。さらに、各緩衝板１２は上記帯状保護板３１の全周を傾斜した状態で支持し、柔軟に動いて振動や衝撃を吸収し、冷凍ケーキＢまで出来るだけ伝わらない様になっている。
【００３６】
また、上記支持枠体８を成す平箱の上板９の上面に設ける開口１１の内径は、輸送する冷凍ケーキＢの外径より小さくしたので、各緩衝板１２は冷凍ケーキＢの外周に巻き回された帯状保護板３１を傾斜した状態で支持し、振動や衝撃が与えられても、帯状保護板３１に巻き付けられた冷凍ケーキＢが無闇に動くことが無く、安心である。また、上記各緩衝板１２の上辺の略中央と下辺の略中央を結ぶ箇所に切り込み１３を設けたので、上記緩衝板１２がより自由に動き、振動や衝撃を吸収し易い。
【００３７】
さらに、上記帯状保護板３１の幅は、上記外箱１の内側の高さと略同じにしたので、冷凍ケーキＢに巻き付け、支持枠体８を被せ、上記外箱１内に入れた際、当該外箱１の上下方向から振動等を受けても当該帯状保護板３１が支柱となり、外箱１が壊れ難い。
【００３８】
上記実施の形態例では、上記支持枠体８を成す平箱の上板９の上面に設ける開口１１の内径を輸送する冷凍ケーキＢの外径より小さくしたり、また、上記各緩衝板１２の上辺の略中央と下辺の略中央を結ぶ箇所に切り込み１３を設けたり、さらに、上記帯状保護板３１の幅を上記外箱１の内側の高さと略同じにしているが、これらの構成は必ずしも必要と言うものでは無く、無くても良い。
【００３９】
また、上記外箱１は、前側の側板及び後側の側板を開閉自在とし、これらの前側の側板及び後側の側板を開けた開口の左右側縁には、折り目を介して左右折り込み板３、４等を夫々設け、これらの左右折り込み板３、４の先端の一部を夫々内側に折り曲げた折曲片６、７等とし、上記支持枠体８の前側板１４及び後側板１９の中央上部には、上下方向にスリット１７、２２を設け、上記支持枠体８を上記外箱１の中に入れ、上記前側の側板及び後側の側板を閉じた際、上記左右折り込み板３、４の各折曲片６、７等が上記支持枠体８のスリット１７、２２に入り係止すようにしているが、前側板１４又は後側板１９のスリット１７、２２はどちらか一方だけに設けても良く、また、これらは双方に設けなくても良い。
【００４０】
さらに、この上板９の外縁に沿って内側に四角形状の縁取り１０を行い、この縁取り１０の２本の対角線に切り込みを夫々入れて上板９を四分割し、これらの四分割された上板９の中央部に円形状の開口１１を設けているが、切り込みは対角線でなくても、また四分割でなくても良く、また、開口は円形状でなくても良く、四角形状などでも良い。
【００４１】
また、輸送するものとして、平面円盤状の冷凍ケーキを使って説明しているが、この実施の形態例の折り畳み紙箱Ａを使用して輸送できるものなら平面円盤状でなくても良く、平面四角形状や他の形状のものでも良い。さらに、上記外箱１は、前側板及び後側板が開放自在なものに限らず、天板が開放するものなど、既存のものを使用しても良い。
【符号の説明】
【００４２】
Ａ    折り畳み紙箱    Ｂ    冷凍ケーキ
１    外箱            ２    上折り込み板      ３    左折り込み板
４    右折り込み板    ５    下折り込み板      ６    折曲片
７    折曲片          ８    支持枠体          ９    上板
１０    縁取り        １１    開口            １２    緩衝板
１３    切り込み      １４    前側板          １５    小側板
１６    前内側板      １７    スリット        １８    切り込み
１９    後側板        ２０    小側板          ２１    後内側板
２２    スリット      ２３    切り込み        ２４    左側板
２５    小側板        ２６    左内側板        ２７    右側板
２８    小側板        ２９    右内側板        ３０    トレイ
３１    帯状保護板
【図１】
2018150057.tif 000003
【図２】
2018150057.tif 000004
【図３】
2018150057.tif 000005
【図４】
2018150057.tif 000006
【図５】
2018150057.tif 000007
【図６】
2018150057.tif 000008
【図７】
2018150057.tif 000009
【図８】
2018150057.tif 000010